(57)【要約】【課題】メッシュフェンス本体を所定位置に掲げて仮置きでき、施工を容易にして、１人でも施工を行えるようにする。【解決手段】筒状上ビーム２５のスリット状下開口２７を継手１の結合部３を内部空間内に収容するための挿入用開口として用い、その継手１の中央部を支柱への取付部２にし、その支柱用取付部２から互いに反対方向に突出する両側部を支柱の両側に配置する各筒状ビーム付き平パネル２４の筒状上ビーム２５との夫々結合部３にして、その支柱用取付部２に結合用貫通穴を設け、両筒状ビーム用結合部３に結合用貫通長穴６を夫々設ける。【選択図】　　　　図４
2004137831.tif 000002
【特許請求の範囲】
【請求項１】
多数の線を網の目状に組み合わせ、平面状に配置して結合した平パネルの上端部に、多数の線を網の目状に組み合わせ、筒状に配置して結合し、その長手方向に沿って内部空間に連通するスリット状の下開口を設けた筒状ビームを設置してなる筒状ビーム付き平パネルを本体とするメッシュフェンス用のストレート継手であって、上記筒状ビームのスリット状下開口を継手の結合部を内部空間内に収容するための挿入用開口として用い、その継手の中央部を支柱への取付部にし、その支柱用取付部から互いに反対方向に突出する両側部を支柱の両側に配置する各筒状ビーム付き平パネルの筒状ビーム端部との夫々結合部にして、その支柱用取付部に結合用貫通穴を設け、両筒状ビーム用結合部に結合用貫通長穴を夫々設けることを特徴とするメッシュフェンス用ストレート継手。
【請求項２】
多数の線を網の目状に組み合わせ、平面状に配置して結合した平パネルの上端部に、多数の線を網の目状に組み合せ、筒状に配置して結合し、その長手方向に沿って内部空間に連通するスリット状の下開口を設けた筒状ビームを設置してなる筒状ビーム付き平パネルを本体とするメッシュフェンス用のコーナ継手であって、上記筒状ビームのスリット状下開口を継手の結合部を内部空間内に収容するための挿入用開口として用い、その継手の一側部を支柱への取付部にし、他側部を支柱の一側に配置する筒状ビーム付き平パネルの筒状ビーム端部との結合部にして、その支柱用取付部と筒状ビーム用結合部とに結合用貫通長穴を夫々設けることを特徴とするメッシュフェンス用コーナ継手。
【請求項３】
筒状ビームの端部に組み込んで継手結合部の両側に配置する両座金部を一体結合し、その各座金部に結合用貫通穴を夫々設け、更にその各座金部の両側と先端に突片を夫々設けてなるメッシュフェンス用継手座金であって、上記組み込み時に一方の座金部に設けた内方に向かう両側突片の各一側縁を筒状ビームに設けたスリット状下開口の一端縁を形成する横線の対応位置に夫々接触させ、更にその座金部の先端突片を外方向からその横線に接触させ、又他方の座金部に設けた内方に向かう両側突片の各一側縁を筒状ビームに設けたスリット状下開口の他側縁を形成する横線の対応位置に夫々接触させ、更にその座金部の先端突片を外方向からその横線に接触させ、その両座金部の両側突片間に、筒状ビームのスリット状下開口を通して内部に収容し、その筒状ビームを構成する横線と結合した平パネルを構成する１本の縦線の上端部を配置することを特徴とする請求項１記載のメッシュフェンス用ストレート継手又は請求項２記載のメッシュフェンス用コーナ継手のメッシュフェンス用継手座金。
【発明の詳細な説明】
【０００１】
【発明の属する技術分野】
本発明は敷地の境界等に設置するメッシュフェンスの継手とその継手座金に関する。
【０００２】
【従来の技術】
従来、敷地の境界等にファッショナブルなフェンスとして塗装した針金等の線を網の目状に組み合せて結合したメッシュフェンスが使用されている。このようなメッシュフェンスはその本体に、例えば多数の線を網の目状に組み合せ、平面状に配置して結合した網目体からなる平パネルの上下端部に、多数の線を網の目状に組み合わせ、筒状に配置して結合した網目体からなる筒状ビームを夫々設置した筒状ビーム付き平パネルを用いている。そして、メッシュフェンスの施工時には、筒状ビーム付き平パネルに設置した筒状上下ビームの各端部にその長手方向の両側方から継手の結合部を夫々挿入し、各結合部毎に座金とボルト、ワッシャ、ナット等を用いて筒状上下ビーム端部に４個の継手を夫々固定して取り付けた後、その筒状ビーム付き平パネルを手で持って掲げながら、そこに固着した各継手の取付部を所定距離離して立設した２支柱に夫々固定することにより、筒状ビーム付き平パネルの設置を行っている。
【０００３】
【発明が解決しようとする課題】
しかしながら、このような継手を用いると、筒状ビーム付き平パネルを支柱に取り付ける前に、その筒状ビーム付き平パネルに設置した筒状上下ビームの４端部に継手を夫々固定しておく必要がある。それ故、施工の際に取り扱い難く、一人がメッシュフェンスの本体たる筒状ビーム付き平パネルを所定位置に掲げた後、別の一人がその筒状ビーム付き平パネルに固定した各継手を支柱へ取り付けるための支柱への継手結合作業をしなければならず、施工上の負担が大きい。
【０００４】
本発明はこのような従来の問題点に着目してなされたものであり、メッシュフェンス本体を所定位置に掲げて仮置きでき、施工が容易で、１人でも施工を行えるメッシュフェンス用継手とその継手座金を提供することを目的とする。
【０００５】
【課題を解決するための手段】
上記目的を達成するために、本発明によるメッシュフェンス用ストレート継手は多数の線を網の目状に組み合わせ、平面状に配置して結合した平パネルの上端部に、多数の線を網の目状に組み合わせ、筒状に配置して結合し、その長手方向に沿って内部空間に連通するスリット状の下開口を設けた筒状ビームを設置してなる筒状ビーム付き平パネルを本体とするメッシュフェンスのストレート部に用いる。
【０００６】
そして、上記筒状ビームのスリット状下開口を継手の結合部を内部空間内に収容するための挿入用開口として用い、その継手の中央部を支柱への取付部にし、その支柱用取付部から互いに反対方向に突出する両側部を支柱の両側に配置する各筒状ビーム付き平パネルの筒状ビーム端部との夫々結合部にして、その支柱用取付部に結合用貫通穴を設け、両筒状ビーム用結合部に結合用貫通長穴を夫々設ける。
【０００７】
又、本発明によるメッシュフェンス用コーナ継手は多数の線を網の目状に組み合わせ、平面状に配置して結合した平パネルの上端部に、多数の線を網の目状に組み合せ、筒状に配置して結合し、その長手方向に沿って内部空間に連通するスリット状の下開口を設けた筒状ビームを設置してなる筒状ビーム付き平パネルを本体とするメッシュフェンスのコーナ部に用いる。
【０００８】
そして、上記筒状ビームのスリット状下開口を継手の結合部を内部空間内に収容するための挿入用開口として用い、その継手の一側部を支柱への取付部にし、他側部を支柱の一側に配置する筒状ビーム付き平パネルの筒状ビーム端部との結合部にして、その支柱用取付部と筒状ビーム用結合部とに結合用貫通長穴を夫々設ける。
【０００９】
又、本発明による上記メッシュフェンス用のストレート継手並びにコーナ継手の継手座金には筒状ビームの端部に組み込んで継手結合部の両側に配置する両座金部を一体結合し、その各座金部に結合用貫通穴を夫々設け、更にその各座金部の両側と先端に突片を夫々設ける。
【００１０】
そして、上記組み込み時に一方の座金部に設けた内方に向かう両側突片の各一側縁を筒状ビームに設けたスリット状下開口の一端縁を形成する横線の対応位置に夫々接触させ、更にその座金部の先端突片を外方向からその横線に接触させ、又他方の座金部に設けた内方に向かう両側突片の各一側縁を筒状ビームに設けたスリット状下開口の他側縁を形成する横線の対応位置に夫々接触させ、更にその座金部の先端突片を外方向からその横線に接触させ、その両座金部の両側突片間に、筒状ビームのスリット状下開口を通して内部に収容し、その筒状ビームを構成する横線と結合した平パネルを構成する１本の縦線の上端部を配置する。
【００１１】
【発明の実施の形態】
以下、添付の図１〜１３を参照して、本発明の実施の形態を説明する。
図１は本発明を適用したメッシュフェンス用ストレート継手の斜視図、図２はその継手座金の斜視図である。このメッシュフェンス用ストレート継手１は金属平板に打ち抜き、穴開け、曲げ等の加工を施して製作した板体であり、その中央部を支柱への取付部２にし、その支柱用取付部２から互いに反対方向に突出する両側部を支柱の両側に配置するメッシュフェンスの本体たる筒状ビーム付き平パネルの筒状ビーム端部との結合部３（３ａ、３ｂ）にする（図４参照）。そして、支柱用取付部２を支柱の外形に合せて例えば半円筒状に曲げ、その中央に結合用貫通穴として例えば角穴４を設ける。その際、結合用貫通角穴４を継手１の長手方向に沿って少し伸びる長穴にし、その短い角長穴４に沿わせて少し離して両側に補強用突条５（５ａ、５ｂ）を夫々配設する。なお、両補強用突条５の突出方向を支柱用取付部２の突出方向と等しくする。
【００１２】
又、両筒状ビーム用結合部３は夫々長方形状にし、そこに結合用貫通穴として相対する縁部近くに継手１の長手方向に沿って２本ずつ長く伸びる丸穴６｛６ａ（６ａ１、６ａ２）、６ｂ（６ｂ１、６ｂ２）｝を夫々配設する。なお、継手１の支柱用取付部２と両補強用突条５が突出している片面側が表面、その反対側が裏面になる。
【００１３】
このようなストレート継手１と組み合わせて使用する継手座金７もやはり金属平板に打ち抜き、穴開け、曲げ等の加工を施して製作する。その際、平パネルに設置した筒状ビームの端部に組み込んで継手結合部３の前後両側に配置する継手座金７の主要部８、９をいずれも中央で僅かに曲がる長方形状にし、その両主要部８、９の各基端縁の中央同士を細長い長方形状のつなぎ部１０でつないで架橋する。すると、継手座金７を大略コ字状にできる。
【００１４】
そこで、継手座金７の各主要部８、９のほぼ半分に相当する先端側部を座金部１１、１２にし、その両座金部１１、１２の各中央付近に結合用貫通穴１３、１４を夫々設ける。その際、筒状ビーム付き平パネルの表面側に配置する一方の座金部１１の結合用貫通穴を角穴１３にし、その裏面側に配置する他方の座金部１２の結合用貫通穴を丸穴１４にする。
【００１５】
又、各座金部１１、１２の両側と先端とに突片１５（１５ａ、１５ｂ）、１６（１６ａ、１６ｂ）、１７、１８を夫々設ける。その際、各座金部１１、１２の両側に設ける突片１５、１６はいずれも長方形状にし、各座金部１１、１２に対しほぼ直角方向に内方に向けて突出させる。但し、表側座金部１１に設ける突片１５の突出長と比べ、裏側座金部１２に設ける突片１６の突出長を長く例えばほぼ２倍にする。又、各座金部１１、１２の先端に設ける突片１７、１８はいずれも長方形状にし、その突出長をほぼ等しくする。そして、各座金部１１、１２の先端からその各座金部１１、１２の延長方向に突片１７、１８の半分程を真直ぐ突出させた後、残りの半分程を弧状に曲げて内方に突出させる。
【００１６】
これ等ストレート継手１と継手座金７とを用いて、筒状ビーム付き平パネル同士を順次つないでメッシュフェンスを施工する場合、その施工位置に先に必要数の支柱を等距離ずつ離して一直線状に並べて立設する。そこで、中間に位置する各支柱の所定箇所にストレート継手１を夫々固定し取り付ける。その際、図３に示すように支柱１９の表側にストレート継手１、裏側にワッシャ２０、ナット２１を配置し、角根ボルト２２の軸部を表側からストレート継手１の取付部２に設けた角穴４、支柱１９の上端部に設けた結合用貫通穴２３に差し通す等して、ストレート継手１の取付部２を支柱１９に固定する。なお、図３では支柱１９の上端部にストレート継手１を固定する場合を示している。
【００１７】
このようにして、支柱１９にストレート継手１を取り付けると、支柱１９の両側にストレート継手１の筒状ビーム用結合部３が夫々突出する。それ故、隣接する２支柱１９の間に筒状ビーム付き平パネルを掲げて仮置きできるようになる。そこで、このような筒状ビーム付き平パネルを構成する平パネルの部分は多数の直線を縦横に夫々等距離ずつ離して網の目状に組み合わせ、平面状例えば長方形状に配置して結合した網目体にする。又、筒状ビームの部分は一部分を開いて開口にした多数のリング線とそれ等のリング線をつなぐ数本例えば５本の直線とを網の目状に組み合わせ筒状に配置して結合し、その長手方向に沿って内部空間に連通するスリット状開口を設けた網目体にする。
【００１８】
しかも、筒状ビームはその製作時に各リング線を等距離ずつ離して開口が一直線となるように並べ、その各リング線の内面側にリングに沿って５本の直線を分散配置し、その開口同士をつなぐように各リング線の両端に１本ずつ直線を結合してスリット状開口を形成する。そして、残りの３本の直線については、各リング線の内面側のスリット状開口から最奥の位置にその１本を配置し、中間の位置に２本配置する。なお、筒状ビームを構成する直線はいずれも横線に相当する。
【００１９】
すると、平パネルの上下端部に筒状ビームを夫々設置することにより、筒状ビーム付き平パネルを製作できる。その際、平パネルの上端部に設置する筒状上ビームはスリット状開口を下に向け、そのスリット状下開口より平パネルを構成する各縦線の上端部を挿入し、その各上端部を筒状上ビームを構成する最奥位置にある横線の対応位置に夫々固着する。又、平パネルの下端部に設置する筒状下ビームはスリット状開口を上に向け、そのスリット状上開口より平パネルを構成する各縦線の下端部を挿入し、その各下端部を筒状下ビームを構成する最奥位置にある横線の対応位置に夫々固着する。
【００２０】
そこで、筒状ビーム付き平パネルを仮置きするため、図４に示すように支柱１９の上端部付近に取り付けたストレート継手１の両筒状ビーム用結合部３に対し、その両側から筒状ビーム付き平パネル２４（２４ａ、２４ｂ）を個々的に又は同時に夫々接近させ、その両筒状上ビーム２５（２５、２５ｂ）の対応端部を両結合部３に向けて矢印方向に夫々移動する。なお、２６（２６ａ、２６ｂ）は平パネルである。すると、図５の矢印で示すようにスリット状下開口２７を上方から移動して行き、筒状上ビーム２５ｂを結合部３ｂに被せて、その筒状上ビーム２５ｂの左端部内に結合部３ｂを嵌めることができる。
【００２１】
しかも、筒状上ビーム２５ｂの内部に結合部３ｂが嵌まると、上方はリング線により閉じられているため、そのリング線が結合部３ｂに掛かる。それ故、支柱１９に取り付けたストレート継手１の左側結合部３ｂにより筒状ビーム付き平パネル２４ｂを支持できる。なお、２８、２９は平パネル２６ｂを構成する縦線、横線であり、３０、３１（３１ａ、…３１ｅ）は筒状上ビーム２５ｂを構成するリング線、横線である。又、同様にして筒状上ビーム２５ａの右端部内に結合部３ａを嵌めると、ストレート継手１の左側結合部３ａにより筒状ビーム付き平パネル２４ａを支持できる。
【００２２】
このようにして、メッシュフェンスのストレート部を構成する中間支柱１９に取り付けたストレート継手１の両筒状ビーム用結合部３でその支柱１９の両側に配置する各筒状ビーム付き平パネル２４を夫々支持可能にする。すると、筒状ビーム付き平パネル２４をその両側に立設した２支柱１９に取り付けた両ストレート継手１の相対する結合部３で支持させて筒状ビーム付き平パネル２４を簡単に掲げて仮置きし、手を離すことができる。それ故、１人で仮置きまでの作業を行えるだけでなく、更に１人でその後の筒状ビーム付き平パネル２４の設置に必要な作業を簡単に行える。
【００２３】
そこで、仮置きした筒状ビーム付き平パネル２４ｂを支柱１９に取り付けたストレート継手１の筒状ビーム用結合部３ｂに一定範囲の移動を可能な状態にして固定するため、図６に示すように継手座金７を上方から結合部３ｂが嵌まる筒状上ビーム２５ｂの左端部に向けて矢印方向に移動し、その筒状上ビーム２５ｂの網の目を利用して主要部８、９を夫々差し込んで組み込む。その際、図７に示すように継手座金７で筒状上ビーム２５ｂの最奥位置にある横線３１ｃと平パネル２６ｂの左端縦線２８をくわえ込み、継手結合部３ｂの下部の表裏両側に座金部１１、１２を配置する。そして、その両座金部１１、１２を表裏両側から矢印方向に押し、角根ボルト３２、ワッシャ３３、ナット３４を用いて、筒状上ビーム２５ｂの左端部に固定し取り付ける。その際、角根ボルト３２の軸部を結合部３ｂの下側に設けた結合用貫通長穴６ｂ２に嵌め、ナット３４で締め付けると、継手座金７を筒状上ビーム２５ｂの左端部に固定でき、しかも角根ボルト３２の軸部はその筒状ビーム用結合部３ｂに設けた下側長穴６ｂ２の内部を相対的に適宜移動できる。
【００２４】
すると、表側座金部１１に設けた内方に向かう両側突片１５の各下側縁を筒状上ビーム２５ｂに設けたスリット状下開口２７の表側縁を形成する横線３１ａの対応位置に夫々接触させ、更にその先端突片１７を外側下方から横線３１ａに接触させて、その表側座金部１１を横線３１ａに掛け止めできる。又、裏側座金部１２に設けた内方に向かう両側突片１６の各下側縁を筒状上ビーム２５ｂに設けたスリット状下開口２７の裏側縁を形成する横線３１ｅの対応位置に上方から夫々接触させ、更にその先端突片１８を外側下方から横線３１ｅに接触させて、その裏側座金部１２を横線３１ｅに掛け止めできる。又、両側突片１５、１６の各先端縁を筒状ビーム用結合部３ｂの表裏両面に接触できる。
【００２５】
又、このようにして表裏の両座金部１１、１２でくわえ込んで、図８に示すように両側突片１５、１６の間に、平パネル２６ｂの左端縦線２８を配置しておくと、筒状ビーム用結合部３ｂに固定した筒状ビーム付き平パネル２４ｂが結合用貫通長穴６ｂ２に沿って横方向に移動しても、その両座金部１１、１２に夫々設けた両側突片１５、１６によりその座金部１１、１２の間に配置した縦線２８の抜けを防止できしかも筒状ビーム付き平パネル２４ｂの一定範囲の移動を可能にできる。それ故、ストレート継手１と継手座金７を組み合わせることにより、支柱１９に取り付けたストレート継手１の筒状ビーム用結合部３ｂに筒状ビーム付き平パネル２４ｂを強固に、しかも一定範囲の移動が可能な固定ができ、その固定作業がし易いため、筒状ビーム付き平パネル２４ｂの設置を迅速に行うことができる。なお、継手座金７の表側座金部１１に角穴１３を設け、角根ボルト３２を用いると、合スパナも必要くなり、裏側のみにて固定作業を行えて楽に取り付けできる。
【００２６】
このようにして、支柱１９の両側に配置し、その両筒状上ビーム２５同士をつないだ筒状ビーム付き平パネル２４は更にその下端部と中間部とを夫々つなぐ。そこで、図９に示すように平パネル２６の下端部に設置した筒状下ビーム３５（３５ａ、３５ｂ）をストレート継手１と継手座金７等を用いてつなぐため、支柱１９の根元付近に先ずストレート継手１を角根ボルト２２等を用い、同様にして取り付ける。なお、これ等の筒状下ビーム３５ではスリット状開口３６を上方に設ける。
【００２７】
そして、図６に示すように継手座金７を下方から結合部３ｂが嵌まる筒状下ビーム３５ｂの左端部に向けて矢印方向に移動し、その筒状下ビーム３５ｂに主要部８、９を夫々差し込んで同様に組み込む。その後、同様にして座金部１１、１２を角根ボルト３２、ワッシャ３３、ナット３４を用いて筒状下ビーム３５ｂに固定し取り付ける。なお、筒状下ビーム３５ａについても同様である。
【００２８】
又、支柱１９の両側に配置した各筒状ビーム付き平パネル２４の中間部をつなぐため、２個の中間バンド３７（３７ａ、３７ｂ）を用いる。この中間バンド３７はストレート継手１と類似した形状を備えているが、その取付部３８に結合用貫通穴を設けず、両結合部３９（３９ａ、３９ｂ）には結合用貫通長穴を１個ずつ設ける。すると、両中間バンド３９を用いて、その両取付部３８で支柱１９を挟み、左側の両結合部３９ａで対応する平パネル２６ａの右端縦線２８を挟み、更に右側の両係合部３６ｂで対応する平パネル２６ｂの左端縦線２８を挟んだ後に、２組の角根ボルト４０、ワッシャ４１、ナット４２等を用いて、両中間バンド３７を締め付け固定することにより、両方の筒状ビーム付き平パネル２４をつないで、支柱１９で支持できる。
【００２９】
図１０は本発明を適用したメッシュフェンス用コーナ継手の斜視図である。このメッシュフェンス用コーナ継手４３も金属平板に打ち抜き、穴開け、曲げ等の加工を施して製作した板体であり、その一側部を支柱１９への取付部４４にし、その他側部を支柱１９の一方の側に配置する筒状ビーム付き平パネル２４との筒状ビーム用結合部４５にし、更にその中央部を支柱用取付部４４に対する筒状ビーム用結合部４５の突出方向を設定し、例えばストレート継手１の筒状ビーム用結合部３ｂの位置より４５度前方に突出させるための曲折部４６にする。そして、支柱用取付部４４を支柱１９の外形に合せて曲げて例えば半円筒状にし、その中央部に結合用貫通長穴として例えば角長穴４７を設ける。又、筒状ビーム用結合部４５は例えば長方形状にし、その相対する縁部近くに継手４３の長手方向に沿って２本の結合用貫通長穴として例えば丸長穴４８（４８ａ、４８ｂ）を夫々配設する。なお、結合用の貫通角長穴４７と丸長穴４８は夫々他の相対する縁部近くまで達するように共に長くする。
【００３０】
このようなコーナ継手４３にはストレート継手１に使用した継手座金７と同一のものを組み合わせて用いる。そして、メッシュフェンスを施工する場合、コーナに位置する各支柱１９の所定箇所にコーナ継手４３の支柱用取付部４４を夫々固定し取り付ける。その際、図１１に示すように支柱１９の表側にコーナ継手４３を配置し、そのコーナ継手４３の支柱用取付部４４に設けた角長穴４７、支柱１９に設けた結合用貫通穴２３に角根ボルト２２の軸部を差し通し、ワッシャ２０を介してナット２１で締め付けて固定する。
【００３１】
すると、図１２の（ａ）に示すように支柱１９の同一箇所に２個のコーナ継手４３（４３ａ、４３ｂ）を同一方向に向けて取り付け、その両支柱用取付部４４（４４ａ、４４ｂ）を重ね合わせてその角長穴４７の長手方向に対する角根ボルト２２の軸部挿通位置を夫々選び、その軸部の根本付近を嵌合箇所にすることにより、両筒状ビーム用結合部４５（４５ａ、４５ｂ）の角度を６０°〜８０°の範囲で変更できる。そこで、各筒状ビーム用結合部４５に筒状ビーム付き平パネル２４を夫々仮置きした後、同様にして継手座金７等を用い、その各筒状ビーム付き平パネル２４を夫々固定し取り付けて設置する。それ故、両筒状ビーム付き平パネル２４の設置角度を６０°〜８０°の範囲から適宜選ぶことにより、必要とするメッシュフェンスのコーナ部を形成できる。
【００３２】
又、（ｂ）に示すように支柱１９の同一箇所に２個のコーナ継手４３を反対方向に向けて固定して取り付け、その両取付部４４の角長穴４７に挿通した角根ボルト２２の軸部の先端付近を一方の支柱用取付部４４ａに設けた角長穴４７への嵌合箇所にし、その軸部の根本付近を他方の支柱用取付部４４ｂに設けた角長穴４７への嵌合箇所にすることにより、両筒状ビーム用結合部４５の角度を８０°〜９０°の範囲で変更できる。それ故、両筒状ビーム付き平パネル２４の設置角度を８０°〜９０°の範囲から適宜選ぶことにより、必要とするメッシュフェンスのコーナ部を形成できる。
【００３３】
又、（ｃ）に示すように支柱１９の同一箇所に２個のコーナ継手４３を反対方向に向けて固定して取り付け、その両支柱用取付部４４の角長穴４７に挿通した角根ボルト２２の軸部の先端付近を一方の支柱用取付部４４ａに設けた角長穴４７への嵌合箇所にし、その軸部の根本付近を他方の支柱用取付部４４ｂに設けた角長穴４７への嵌合箇所にすることにより、両筒状ビーム用結合部４５の角度を９０°〜１８０°の範囲で変更できる。それ故、両筒状ビーム付き平パネル２４の設置角度を９０°〜１８０°の範囲から適宜選ぶことにより、必要とするメッシュフェンスのコーナ部を形成できる。なお、両筒状ビーム付き平パネル２４の設置角度を１８０°にする場合には当然ストレート継手１を用いる。
【００３４】
このようにして、敷地の境界等に必要数の支柱１９を等距離ずつ離す等して一直線状に或いは非直線状に適宜並べて立設した後、ストレート継手１、コーナ継手４３、継手座金７、中間バンド３７等を用いて筒状ビーム付き平パネル２４を設置すると、図１３に示すようなメッシュフェンス４９を形成できる。なお、５０は各支柱１９の根本付近を埋め込んで立設するための基礎であり、例えば直方体状ブロック５１を積み重ねて形成する。
【００３５】
【発明の効果】
以上説明した本発明によれば、請求項１記載の発明ではメッシュフェンスのストレート部を形成するフェンス本体たる筒状ビーム付き平パネルの継手として、その中央部を支柱への結合用貫通長穴を設けた取付部にし、その支柱用取付部から互いに反対方向に突出する両側部を支柱の両側に配置する各筒状ビーム付き平パネルの筒状ビームとの夫々結合用貫通長穴を設けた筒状ビーム用結合部にしたストレート継手を用いることにより、そのストレート継手の取付部を先に支柱に固定して取り付けておくと、そのストレート継手の両筒状ビーム用結合部に支柱の両側に配置する各筒状ビーム付き平パネルの筒状ビーム端部を夫々被せ、その両結合部を対応する筒状ビームに設けたスリット状下開口に挿入して内部空間内に夫々収容し、そのストレート継手の両結合部で支柱の両側に配置する各筒状ビーム付き平パネルを夫々支持することができる。それ故、筒状ビーム付き平パネルを簡単に所定位置に掲げて仮置きして手を離すことができ、その仮置き後に両筒状ビームの端部を継手座金等を用いて対応する筒状ビーム用結合部に、そこに設けられている結合用貫通長穴を用いて筒状ビーム付き平パネルを適切な位置に移動させた後に固定する固定作業を夫々行えるため、施工が容易となり、作業者が１人でもメッシュフェンスのストレート部の施工を簡単に行える。
【００３６】
又、請求項２記載の発明ではメッシュフェンスのコーナ部を形成するフェンス本体たる筒状ビーム付き平パネルの継手として、その一側部付近を支柱への結合用貫通長穴を設けた取付部にし、他側部を支柱の一側に設置する筒状ビーム付き平パネルの筒状ビーム端部との結合用貫通長穴を設けた筒状ビーム用結合部にしたコーナ継手を用いることにより、そのコーナ継手の支柱用取付部をその結合用貫通長穴を利用して支柱に先に固定して取り付けておくと、そのコーナ継手の筒状ビーム用結合部に支柱の一側に配置する筒状ビーム付き平パネルの筒状ビーム端部を被せ、その結合部を筒状ビームに設けたスリット状下開口に挿入して内部空間内に収容し、そのコーナ継手の筒状ビーム用結合部で支柱の一側に配置する筒状ビーム付き平パネルを支持することができる。それ故、筒状ビーム付き平パネルを簡単に所定位置に掲げて仮置きして手を離すことができ、その仮置き後に筒状ビームの端部を継手座金等を用いて結合部に、そこに設けられている結合用貫通長穴を用いて筒状ビーム付き平パネルを適切な位置に移動させた後に固定する固定作業を行えるため、施工が容易となり、作業者が１人でもメッシュフェンスのコーナ部の施工を簡単に行える。
【００３７】
又、請求項３記載の発明では筒状ビーム端部に組み込んで継手結合部の両側に配置する両座金部を一体結合し、その各座金部に結合用貫通穴を夫々設け、更にその各座金部の両側と先端に突片を夫々設け、その組み込み時に一方の座金部に設けた内方に向かう両側突片の各一側縁を筒状ビームに設けたスリット状下開口の一側縁を形成する横線の対応位置に夫々接触させ、更にその座金部の先端突片を外方向からその横線に接触させ、又他方の座金部に設けた内方に向かう両側突片の各一側縁を筒状ビームに設けたスリット状下開口の他側縁を形成する横線の対応位置に夫々接触させ、更にその座金部の先端突片を外方向からその横線に接触させることにより、筒状ビームの端部をストレート継手又はコーナ継手の結合部に強固に固定することができる。
【００３８】
又、その両座金部の両側突片間に、筒状ビームのスリット状下開口を通して内部に収容し、その筒状ビームを構成する横線と結合した平パネルを構成する１本の縦線の上端部を配置することにより、筒状ビーム用結合部に固定した筒状ビーム付き平パネルが結合用貫通長穴に沿って横方向に移動しても、その両座金部に夫々設けた両側突片により、その座金部間に配置した縦線の抜けを防止でき、しかも筒状ビーム付き平パネルの一定範囲の移動を可能にできる。それ故、筒状ビーム付き平パネルの筒状ビーム端部をストレート継手又はコーナ継手の筒状ビーム用結合部に固定する固定作業がし易くなり、筒状ビーム付き平パネルの設置を迅速に行うことができる。
【図面の簡単な説明】
【図１】本発明を適用したメッシュフェンス用ストレート継手の斜視図である。
【図２】同メッシュフェンス用のストレート継手及びコーナ継手に用いる継手座金の斜視図である。
【図３】同ストレート継手を支柱の上端部へ取り付け際のストレート継手とその付属部品の配置関係を示す斜視図である。
【図４】同ストレート継手の支柱両側に突出する両筒状ビーム用結合部へ夫々筒状ビーム付き平パネルを仮置きする前の対応関係を示す斜視図である。
【図５】同ストレート継手の右側筒状ビーム用結合部と支柱の右側に配置する筒状ビーム付き平パネルの筒状上ビームに設けたスリット状下開口との仮置き前の対応関係を示す右側面図である。
【図６】同ストレート継手を支柱の上下端部に夫々固定して取り付け、その右側の上下筒状ビーム用結合部で支持した仮置き筒状ビーム付き平パネルの筒状上ビーム、筒状下ビームに対する継手座金とその付属部品との対応関係を示す右側面図である。
【図７】同ストレート継手の右側筒状ビーム用結合部で支持した仮置き筒状ビーム付き平パネルの筒状上ビーム端部へ継手座金の組み込み状態を示す右側面図である。
【図８】同継手座金組み込み後、付属部品を用いて固定して取り付けた状態を一部切断して示す平面図である。
【図９】同ストレート継手の支柱両側に突出する両筒状ビーム用結合部で夫々支持し、継手座金等を用いて固定し取り付けた両筒状ビーム付き平パネルの中間部と下部とを互いにつなぐ際の中間バンド、ストレート継手等の配置関係を示す斜視図である。
【図１０】本発明を適用したメッシュフェンス用コーナ継手の斜視図である。
【図１１】同コーナ継手を支柱の上端部へ取り付ける際のコーナ継手とその付属部品との配置関係を示す斜視図である。
【図１２】同コーナ継手を支柱に２個固定して取り付け、その取り付け状態を変えて支柱から突出する両筒状ビーム用結合部の角度調節を行う場合のコーナ継手取り付けの３形態を支柱の上端を除去して示す平面図である。
【図１３】同メッシュフェンスの正面図である。
【符号の説明】
１…ストレート継手　２、４４…支柱用取付部　３、４５…筒状ビーム用結合部　４、６、４７、４８…結合用貫通長穴　７…継手座金　８、９…主要部　１０…つなぎ部　１１、１２…座金部　１３、１４、２３…結合用貫通穴　１５、１６…両側突片　１７、１８…先端突片　１９…支柱　２２、３２…角根ボルト２４…筒状ビーム付き平パネル　２５…筒状上ビーム　２６…平パネル　２７…スリット状下開口　２８…縦線　２９、３１…横線　３０…リング線　３５…筒状下ビーム　３６…スリット状上開口　３７…中間バンド　４３…コーナ継手
４６…折曲部　４９…メッシュフェンス　５０…基礎
【図１】
2004137831.tif 000003
【図２】
2004137831.tif 000004
【図３】
2004137831.tif 000005
【図４】
2004137831.tif 000006
【図５】
2004137831.tif 000007
【図６】
2004137831.tif 000008
【図７】
2004137831.tif 000009
【図８】
2004137831.tif 000010
【図９】
2004137831.tif 000011
【図１０】
2004137831.tif 000012
【図１１】
2004137831.tif 000013
【図１２】
2004137831.tif 000014
【図１３】
2004137831.tif 000015